(57)【特許請求の範囲】
【請求項１】
堤防の傾斜面に沿って配置される細長いベースと、
前記ベースの上面に所定間隔へだてて取り付けられる複数の目盛表示部とを備え、
前記目盛表示部が、堤防の天端から視認することができるように傾斜した面を有し、前記面に目盛が表示されていることを特徴とする量水標。
【請求項２】
前記目盛表示部の前記面が、前記ベースの面に対して引かれた垂直線から堤防の下端側に向かう角度が０°から６０°となるように傾斜していることを特徴とする請求項１に記載された量水標。
【請求項３】
洪水時に到達した最高水位を表示するための洪水痕跡表示装置をさらに備え、
前記洪水痕跡表示装置が、上端と下端に小孔が設けられた細長い箱型の本体と、前記本体に収容された、水よりも比重の軽い多数の球体と、前記球体を捕捉するための多数の開口が設けられたネットとを有し、水位が上昇して前記小孔を通して前記本体内に水が流入すると水とともに前記球体が上昇し、水位が下降すると前記球体が前記ネットの前記開口に捕捉されるように構成されていることを特徴とする請求項１又は２に記載された量水標。
【請求項４】
前記ネットが、取外し可能に構成されていることを特徴とする請求項３に記載された量水標。
【発明の詳細な説明】
【技術分野】
【０００１】
本発明は一般に、河川などの水位を観測するための量水標に関する。より詳細には、本発明は、堤防の天端から双眼鏡などを用いて河川などの水位を観測することができる量水標に関する。
【背景技術】
【０００２】
河川などには、水位を観測するために、量水標が設けられている。一般的な量水標は、図１０（ａ）に示されるように、堤防に設置される階段工の縁に沿って設置される場合が多い。
【発明の概要】
【発明が解決しようとする課題】
【０００３】
しかしながら、このような量水標では、水位を観測する際に、図１０（ｂ）に示されるように、階段工を降りて水面の間近まで行かなければならないため、増水時などには危険を伴うという課題がある。また、洪水対策に資するため、洪水時に上昇した河川の水位を的確に把握する必要性もある。
【０００４】
本発明は、このような状況に鑑みて開発されたものであって、堤防の天端から河川などの水位を安全に観測することができる量水標を提供することを目的としている。また、本発明は、洪水時の最高水位の観測が可能な手段を備えた量水標を提供することを目的としている。
【課題を解決するための手段】
【０００５】
本願請求項１に記載された量水標は、堤防の傾斜面に沿って配置される細長いベースと、前記ベースの上面に所定間隔へだてて取り付けられる複数の目盛表示部とを備え、前記目盛表示部が、堤防の天端から視認することができるように傾斜した面を有し、前記面に目盛が表示されていることを特徴とするものである。
【０００６】
本願請求項２に記載された量水標は、前記請求項１の量水標において、前記目盛表示部の前記面が、前記ベースの面に対して引かれた垂直線から堤防の下端側に向かう角度が０°から６０°となるように傾斜していることを特徴とするものである。
【０００７】
本願請求項３に記載された量水標は、前記請求項１又は２の量水標において、洪水時に到達した最高水位を表示するための洪水痕跡表示装置をさらに備え、前記洪水痕跡表示装置が、上端と下端に小孔が設けられた細長い箱型の本体と、前記本体に収容された、水よりも比重の軽い多数の球体と、前記球体を捕捉するための多数の開口が設けられたネットとを有し、水位が上昇して前記小孔を通して前記本体内に水が流入すると水とともに前記球体が上昇し、水位が下降すると前記球体が前記ネットの前記開口に捕捉されるように構成されていることを特徴とするものである。
【０００８】
本願請求項４に記載された量水標は、前記請求項３の量水標において、前記ネットが、取外し可能に構成されていることを特徴とするものである。
【発明の効果】
【０００９】
本発明によれば、水面間近まで接近せずに堤防の天端から水位を安全に観測することができる量水標が提供される。また、量水標に洪水痕跡表示装置を設置することにより、比較的簡単な装置で洪水時の最高水位を観測することができ、洪水対策等に活用することができる。さらに、洪水痕跡表示装置のネットを取り外し可能にすることにより、装置のリセットが容易になる。
【図面の簡単な説明】
【００１０】
【図１】本発明の好ましい実施の形態に係る量水標の一部を示した斜視図である。
【図２】図２（ａ）は図１の量水標の側面図、図２（ｂ）は図１の量水標の平面図、図２（ｃ）は図２（ａ）の部分２ｃの拡大図、図２（ｄ）は図２（ａ）の線２ｄ−２ｄに沿って見た図である。
【図３】図１の量水標が堤防に設置されている状態を示した斜視図である。
【図４】図１の量水標が堤防に設置されている状態を模式的に示した側面図である。
【図５】図１の量水標の使用例を模式的に示した図である。
【図６】図１の量水標の種々の変形形態を示した斜視図である。
【図７】図７（ａ）は図１の量水標に取り付けられる洪水痕跡装置を示した斜視図、図７（ｂ）は図７（ａ）の洪水痕跡装置が量水標に取り付けられている状態を示した図、図７（ｃ）は図７（ａ）の部分７ｃの拡大図、図７（ｄ）は図７（ｃ）の線７ｄ−７ｄに沿って見た断面図、図７（ｅ）は変形形態のネットを示した図７（ｄ）と同様な断面図である。
【図８】図８（ａ）〜図８（ｄ）は、洪水痕跡装置のネットの種々の形態を示した図、図８（ｅ）と図８（ｆ）は、ネットの取り付け状態と取り外し状態をそれぞれ示した図である。
【図９】図７の洪水痕跡装置の作動状態を示した一連の図である。
【図１０】図１０（ａ）は従来の典型的な量水標を示した斜視図、図１０（ｂ）は図１０（ａ）の量水標の使用例を模式的に示した図である。
【発明を実施するための形態】
【００１１】
次に図面を参照して、本発明の好ましい実施の形態に係る量水標について詳細に説明する。図１は、本発明の好ましい実施の形態に係る量水標の一部を示した斜視図である。図１において全体として参照符号１０で示される量水標は、堤防の傾斜面に沿って配置される細長いプレート状のベース１２を備えている。ベース１２は、ステンレス鋼などの適当な材料で形成されている。ベース１２の上面には、目盛１２ａが表示されている。
【００１２】
量水標１０はまた、ベース１２の上面に所定間隔へだてて（例えば、１ｍ毎に）取り付けられる複数の目盛表示部１４を備えている。目盛表示部１４は、図１および図２に示される例では、側面視で直角三角形の側面形状を有しており、直角三角形の斜辺の面１４ａがほぼ上方を向くようにベース１２の上面に取り付けられている。これにより、量水標１０を堤防に設置した場合に、堤防の天端から斜辺の面１４ａを視認することができる。
【００１３】
なお、図２（ｃ）には、三角形の各辺が薄板で形成され、ボルトによってベース１２に固定されている目盛表示部１４が示されているが、斜辺の面１４ａを堤防の天端から視認することができるものであれば、例えば、図６（ａ）に示されるように斜辺の面１４ａ１の両端を切り落とした形状、図６（ｂ）に示されるように側面視で山形の形状、などの他の適当な形状にしてもよい。また、図１および図２に示された形態では、プレート状のベース１２が用いられているが、図６（ｃ）〜図６（ｅ）に示されるように、ベース１２を箱型に形成してもよい。
【００１４】
目盛表示部１４の斜辺の面１４ａは、上述のように、堤防の天端から視認することができる程の傾斜を有することが必要である。本発明者の行った実験によれば、ベース１２の面に対して引かれた垂直線から堤防の下端側（河川側）に向かう角度α（図２（ｃ）参照）が０°から６０°である場合に、堤防の天端から面１４ａを良好に視認できることが分かった。
【００１５】
図３は、量水標１０が堤防の階段工に設置されている例を示した図である。量水標１０の使用に際しては、図５に示されるように、観測者が堤防の天端から目視又は双眼鏡などを用いて目盛表示部１４の面１４ａを視認することにより、観測時に河川の水位を安全かつ的確に確認することができる。
【００１６】
好ましくは、量水標１０は、洪水時などに到達した最高水位を表示するための洪水痕跡表示装置１８を備えている。洪水痕跡表示装置１８は、図７（ａ）に示されるように、細長い長方形の底板２０ａと、底板２０ａの長手方向に配置される一対の長手方向側板２０ｂと、底板２０ａの横断方向に配置される一対の横断方向側板２０ｃと、細長い長方形の上板２０ｄとを有する全体として箱型の本体２０を備えている。上板２０ｄは、本体２０の内部を視認することができるように、アクリル板などの透明な材料で形成するのが好ましい。
【００１７】
横断方向側板２０ｃの各々には、本体２０内への水の流出入が可能となるように、多数の小孔２０ｃ１が設けられている。本体２０内には、多数の球体２２が収容されている。ここで、「球体」とは、比重が水よりも軽い物質（例えば、ポリプロピレン、ポリエチレン）で形成された数ミリ径の粒体である。底板２０ａには、後述する球体２２を捕捉するためのネット２４が配置されており、ネット２４には、球体２２の径Ｄよりも僅かに大きい開口２４ａが規則的に設けられている。また、ネット２４は、球体２２の径Ｄよりも小さい距離Ｈだけ底板２０ａから上方に取り付けられている（図７（ｄ）参照）。好ましくは、例えば球体２２の径Ｄを６ｍｍとした場合に、開口２４ａの径は８ｍｍ〜１０ｍｍ程度、ネット２４の取付け高さＨは、３ｍｍ〜４ｍｍ程度である。なお、図７（ｄ）に示されるネット２４は、底板２０ａからＨだけ上方に取り付けられているが、図７（ｅ）に示されるように、ネット２４自体の高さがＨのものを底板２０ａに取り付けてもよい。
【００１８】
図８（ａ）〜図８（ｄ）は、種々の形態のネット２４が示されているが、球体２２を確実に捕捉できるものであれば、図示された形態以外の形態を採用してもよい。
【００１９】
好ましくは、ネット２４は、底板２０ａから取り外すことができるように構成されている。取外し可能な構成として、ネット２４に突起２４ｂを設け、底板２０ａに設けられた凹部２０ａ１に突起２４ｂを嵌め込むことによってネット２４を底板２０ａに取り付け、凹部２０ａ１から突起２４ｂを外すことによってネット２４を底板２０ａから取り外す構成が図示されている（図８（ｅ）、図８（ｆ）参照）が、これは一例にすぎず、ボルト等の締結具を用いてネット２４を取外し可能にしてもよい。ネット２４を取外し可能に構成することにより、球体２２のリセット（水位が上昇して球体２２がネット２４の開口２４ａに捕捉された後、球体２２を開口２４ａから解放した初期状態に戻すこと）が容易にな
る。
【００２０】
図７（ｂ）は、洪水痕跡装置１８が量水標１０に取り付けられている状態を示した図である。洪水痕跡装置１８は好ましくは、ベース１２の下面に取り付けられる。したがって、洪水痕跡装置１８の本体２０の幅Ｗは、ベース１２の幅Ｗ0 と同等かそれ以下であるのが好ましい。
【００２１】
次に図９を参照して、洪水痕跡表示装置１８の作動について説明する。図９（ａ）は、洪水痕跡表示装置１８の本体２０内に水が浸入していない状態を示している。この状態では、球体２２は、本体２０の底部にある。洪水時に水位が上昇すると、本体２０の下側の横断方向側板２０ｃの小孔２０ｃ１から本体２０内に水が浸入する。すると、球体２２の比重が水よりも軽いため、球体２２は、本体２０内の水位の上昇とともに上昇し、本体２０内の最高水位まで到達する（図９（ｂ）参照）。洪水が沈静化し、河川の水位が低下すると、本体２０内の水も小孔２０ｃ１から流出し、本体２０内の水位が低下する。
【００２２】
その際、本体２０内の水位の低下とともに球体２２も降下しようとするが（図９（ｃ）参照）、球体２２は、最高水位に位置するネット２４の開口２４ａに捕捉される（図９（ｄ）参照）。したがって、洪水後に本体２０内の球体２２の位置を見ることにより、洪水時の最高水位を確認することができる。洪水時の最高水位の確認後にネット２４を一旦取り外せば、開口２４ａに捕捉されていた球体２２が解放されて、装置はリセットされる（図９（ｅ）参照）。
【００２３】
本発明は、以上の発明の実施の形態に限定されることなく、特許請求の範囲に記載された発明の範囲内で、種々の変更が可能であり、それらも本発明の範囲内に包含されるものであることはいうまでもない。
【００２４】
たとえば、前記実施の形態では、本体２０の最下部と最上部の横断方向側板２０ｃに小孔２０ｃ１が設けられているが、本体２０の最下端近傍および最上端近傍に小孔を設けてもよい。
【符号の説明】
【００２５】
１０  量水標
１２  ベース
１２ａ  目盛
１４  目盛表示部
１４ａ  目盛表示面
１６  目盛
１８  洪水痕跡表示装置
２０  本体
２０ａ  底板
２０ｂ  長手方向側板
２０ｃ  横断方向側板
２０ｃ１  小孔
２０ｄ  上板
２２  球体
２４  ネット
２４ａ  開口
【要約】
【課題】  堤防の天端から河川などの水位を安全に観測することができる量水標を提供することである。
【解決手段】  堤防の傾斜面に沿って配置される細長いベース（１２）と、ベースの上面に所定間隔へだてて取り付けられる複数の目盛表示部（１４）とを備え、目盛表示部が、堤防の天端から視認することができるように傾斜した面（１４ａ）を有し、この面に目盛（１６）が表示されていることを特徴とする量水標（１０）が提供される。好ましくは、目盛表示部の面が、ベースの面に対して引かれた垂直線から堤防の下端側に向かう角度が０°から６０°となるように傾斜している。
【選択図】  図１【図１】
0005461737.tif 000002
【図２】
0005461737.tif 000003
【図３】
0005461737.tif 000004
【図４】
0005461737.tif 000005
【図５】
0005461737.tif 000006
【図６】
0005461737.tif 000007
【図７】
0005461737.tif 000008
【図８】
0005461737.tif 000009
【図９】
0005461737.tif 000010
【図１０】
0005461737.tif 000011